(57)【特許請求の範囲】
【請求項１】
（Ａ）アミノカルボン塩：１５〜３０重量％
（Ｂ）珪酸塩：５〜３０重量％
を含有し、かつ、（Ａ）成分と（Ｂ）成分の合計が組成物中の重量で２０〜５０重量％の範囲であり、水に溶解していることを特徴とする液体ビルダー組成物。
【発明の詳細な説明】
【０００１】
【産業上の利用分野】
本発明は衣類を洗浄するに際し、特にひどい汚れを洗浄するのに好適な、他の洗剤組成物と組み合わせて用いる為の液体ビルダー剤に関する。
【０００２】
【従来の技術】
従来からアルカリ剤、キレート剤といった「ビルダ−」は、洗浄力向上剤として洗剤組成物中においては必要不可欠な成分である。しかしながら、多くのビルダ−を液体洗剤中に配合すると、組成物中の界面活性剤との塩析効果により、分離、析出しやい欠点を有する。
従って、使用上好適な均一低粘度のビルダー含有液体洗剤組成物を得るのは困難である。更にアルカリを配合した場合、組成物が強アルカリ性となる為、酵素の配合は安定性の点より不可能である。
【０００３】
そこで、液安定性を高める為、界面活性剤のＨＬＢを下げて溶解性を高めたり、高洗浄力を求められる業務用洗浄においては洗浄剤、ビルダ−剤を分割投入すること（特開昭５８−７４８００号公報）が知られている。
また液体ビルダ−剤に関しては、特願平５−３５４６７６号公報に、ピロリン酸カリウムおよび珪酸カリウムを主成分とする組成物が例示されているが、このものは長時間使用していると洗浄機にピロリン酸カルシウム由来のスケールが付着するという、新たな欠点が指摘された。
【０００４】
【発明が解決しようとする課題】
本発明は、界面活性剤を主成分とする液体洗剤と共に併用することにより、優れた洗浄力を発揮し、液性が良好で、且つ、長期間使用しても洗浄機に対するスケール付着を生じない液体ビルダ−剤組成物を提供するものである。
【０００５】
【課題を解決するための手段】
そこで本発明者らは鋭意研究した結果、アミノカルボン酸塩と珪酸塩を特定割合で配合することにより、かかる課題を解消することを見いだし本発明に至った。
即ち、本発明の液体ビルダー組成物は、下記の成分を含有し、（Ａ）成分と（Ｂ）成分の合計が組成物中の重量で２０〜５０％の範囲であり、水に溶解していることを特徴とする。
（Ａ）アミノカルボン塩：１５〜３０重量％。
（Ｂ）珪酸塩：５〜３０重量％。
【０００６】
【発明の実施態様】
本発明において（Ａ）成分として用いるアミノカルボン酸塩は、ニトリロ三酢酸およびエチレンジアミン四酢酸のアルカリ金属塩が好ましく、対イオンとしては、ナトリウムおよびカリウム塩が好ましい。
本発明におけるアミノカルボン酸塩の含有量は１５〜３０重量％、好ましくは１５〜２５重量％の範囲である。アミノカルボン酸塩の含有量が１５重量％未満では所望の洗浄力が得られず、３０重量％を超えると配合時に塩析等により、液分離や沈殿を生じ好ましくない。
【０００７】
本発明において（Ｂ）成分として用いる珪酸塩は、一般にＭ2 Ｏ・ｎＳｉＯ2 で表され、その代表例は珪酸ナトリウム又は珪酸カリウムである。
本発明において用いられるＳｉＯ2／Ｍ2Ｏの比は、モル比として０．５〜３．５、好ましくは１〜３の範囲である。
ＳｉＯ2／Ｍ2Ｏのモル比が０．５未満では被洗物がアルカリ焼けを生じ好ましくなく、３．５を超えると所望の洗浄力が得られず好ましくない。所定のモル比を得るには市販されている珪酸塩を用いることもできるが、実際の配合時において、例えばＪＩＳ１号珪酸ナトリウムを用い、更に水酸化ナトリウムを加える事により所定のモル比に調整することも可能である。
【０００８】
本発明における珪酸塩の含有量は１５〜３０重量％の範囲である。
【０００９】
また、本発明の液体ビルダー組成物は、上記（Ａ）および（Ｂ）成分を合計量で２０〜５０重量％、好ましくは３０〜４０重量％配合する。
この合計量が２０重量％未満では十分な洗浄力が得られず、５０重量％を超えると配合時に液分離が生じ好ましくない。
【００１０】
本発明の組成物は、前記必須成分の他に、必要に応じ、高級脂肪酸塩、再汚染防止剤例えばポリエチレングリコール、カルボキシメチルセルロース等や、粘度低下剤例えばエタノール、イソプロピレングルコール等の低級アルコール類、エチレングリコール、プロピレングリコール、ヘキシレングリコール等のグリコール類、尿素、ベンゼンスルホン酸塩、トルエンスルホン酸塩類、キシレンスルホン酸塩、安息香酸塩など、さらには、蛍光剤、香料、色素なども配合することができる。
【００１１】
【発明の効果】
本発明によれば、アミノカルボン酸塩および珪酸塩、必要に応じてアルカリ成分や他の任意成分を水に溶解して液体ビルダー組成物とすることにより、液安定性に優れ、長期使用においても洗浄機に悪影響を与えることもなく、しかも、界面活性剤を主成分とする洗浄剤組成物と併用することにより、優れた洗浄力を得ることが可能となる。
【００１２】
本発明の組成物は、特に業務用ランドリー洗浄用の液体ビルダーとして有用であり、界面活性剤を主成分とする洗浄剤組成物とともに用いられ、例えば、定量ポンプを用いて、別々に所定量、洗浄機に投入されるものである。
又、他の配合成分なども必要に応じ配合することができる。
【００１３】
【実施例】
次に実施例によって、本発明をさらに詳細に説明するが、本発明はこれらの実施例によって限定されるものではない。
尚、実施例に先立ち、試験法を以下に示す。
【００１４】
（１）洗浄力の試験法
（ｉ）汚染布
汚染布としては、下記に示すＥＭＰＡ社製人工汚垢布を用い、これを５ｃｍ×５ｃｍに裁断して用いた。
商品名：ＥＭＰＡ１０１（オリ−ブ油・カ−ボン／綿布）
【００１５】
（ｉｉ）洗浄条件
洗浄装置はアサヒ製作所製の１０ｋｇドラム型ワッシャ−を使用し洗浄を行った。５０℃、５分洗浄した後排水、すすぎを行った。被洗物は前述の汚染布それぞれ１０枚をＴシャツに縫いつけたものを１枚と、洗浄シ−ツの合計を１０ｋｇとし、使用水は７゜ＤＨの硬水を用いた。
洗浄は、後記表１に示した液体洗浄剤組成物１５０ｇと後記実施例および比較例に示した液体ビルダー剤組成物１５０ｇをそれぞれ洗浄機へ分割投入することにより行った。
（ｉｉｉ）洗浄力測定
洗浄力は得られた洗浄布の反射率を測定し、下記の数１の式より算出した。
【００１６】
【数１】
0003655339.tif 000002
反射率はＣａｒｌ  Ｚｅｉｓｓ  Ｅｌｒｅｐｈｏ反射率計により測定を行った。尚、洗浄力の算出は、供試汚染布１０枚の平均値で行った。
【００１７】
（２）液安定性評価
液体ビルダー組成物を配合調製したときの液外観を目視評価した。
0003655339.tif 000003
【００１８】
（３）スケール付着性
実施例に示す処方で、オープンワッシャーで洗浄処理を行った。被洗物はホテルで使用したシーツ１００ｋｇを用いた。６０℃で１５分間洗浄を行った後、排水し、４０℃の水で３分間すすぎを行う。すすぎを２回行い、被洗物を取り除く。これを１サイクルとして５０回繰り返し洗浄処理を行った後、ワッシャーのバスケット外側へのスケール付着を目視により判定する。
試験に供した液体洗浄剤組成物を表１に示す。
【００１９】
【表１】
0003655339.tif 000004
試験に供したビルダー組成物の組成および評果結果を表２および表３に示す。
【００２０】
【表２】
0003655339.tif 000005
表２の如く、本発明品は優れた洗浄力を発揮する。
【００２１】
【表３】
0003655339.tif 000006
表３の如く、本発明品は液安定性に優れていることが判る。
【００２２】
実施例８
実施例５の配合組成に準拠して、実施例８はＮａ2Ｏ ・１ＳｉＯ2 の替りにＮａ2Ｏ・１．５ＳｉＯ2を用い、比較例７はＮＴＡ・３Ｎａの代わりにピロリン酸カリウムを用い、かつ、珪酸塩としてＫ2Ｏ・１．５ＳｉＯ2を用いた場合のスケール付着試験を行った結果、実施例はスケールの付着は認められず、比較例は白色のスケール付着が多く認められた。